(57)【要約】【課題】シート状または板状をした商品を多数収容するとともに、展示・販売や使用に際して商品が目立つように傾斜状態に安定的に体裁よく展示させる。【解決手段】連設される正面・左右の側面・背面の各板、および該各板のいずれかの下端より延出されて組成される底面部と、各板のいずれか上端より延出される蓋体とからなるカートンにおいて、カートン内には正面板下端より延設されたスペーサ板を介して傾斜板を有し、しかも該傾斜板の開放端部には下方に折り曲げが可能な一定の長さを有する支え板を備えている。これによりとくに質量のある板状の商品を多数収納して傾斜状態に展示もしくは使用する際に簡易構造でありながら傾斜板が十分な商品保持力を有し、しかもカートンブランクからの組立てが容易で低コストを実現することができる。【選択図】図１
2011116387.tif 000002
【特許請求の範囲】
【請求項１】
連設される正面・左右の側面・背面の各板、および該各板のいずれかの下端より延出されて組成される底面部と、各板のいずれか上端より延出される蓋体とからなるカートンにおいて、カートン内に正面板下端より延設された底面部組成板（スペーサ板）を介して傾斜板を有し、しかも該傾斜板の開放端部には下方に折り曲げが可能な一定の長さを有する支え板を備えていることを特徴とした展示機能つきカートン。
【請求項２】
正面板下端より延設された底面部組成板（スペーサ板）から傾斜板の下方部にかけて、その折線部を頂点とする略Ｖ字状の切り込みを入れるとともに、側面板下端より延設された底部組成板の前記スペーサ板寄りの端部に、各底面部組成板を直角内方に折り曲げてカートン底面を形成する際に、上記スペーサ板の略Ｖ字状に形成された切込みに沿って摺動しつつ重合片がスペーサ板の上面に重合可能な弧状の切り込みが施されているところの請求項１に記載の展示機能つきカートン。
【請求項３】
背面板の上端部を上方に延出させて上方に突出させ、その少なくとも一部の正面側に商品広告を施すための看板部を形成した請求項１または請求項２に記載の展示機能つきカートン。
【発明の詳細な説明】
【技術分野】
【０００１】
本発明は、例えば顆粒状薬剤あるいはクリーム状の化粧料等を１回ずつの使用に適するように分包してシート化し、あるいはチョコレートその他の板状をした各種商品を多数収納包装するとともに、販売または使用時にカートンの上方部分を取り除き、もしくは上蓋を除去した状態において、商品が目立つように傾斜状態に安定的に体裁よく展示させることができ、しかもその全体を１枚のカートンブランクにより安価に、しかも組立て時において自動的に底面部が組みあがる（オートボトム構造）ことにより取り扱い性を向上させた展示機能つきのカートンに関する。
【背景技術】
【０００２】
分包されたシート状の商品をカートン内に多数収納する場合においては、カートンの内底面上に順次平坦に積み重ねられることが多いため、販売または使用時に商品が減少してきた場合においては殆ど目立たなくなる。そこで最近ではカートンの片側側面より延設された底蓋片・立上片・上面部・糊付片によってカートン内に矩形の筒状部を形成するとともに、さらに該筒状部の一端に倒れ込み防止フラップを上方に向けて折り曲げて連設起立させたものが知られている（特開２００９−１２６５７８号公報参照）。
【０００３】
また箱本体（１）の底板後端に、蓋体（３）の天板（４）の後端を後板（５）を介して連設するとともに、その上面に、蓋体（３）の開閉に伴って前後方向にスライド可能な押上板（１３）をおよび押上部材（６）、押上部（１４）を連設させて蓋体の開放時に押上部材（６）および押上部（１４）により起立させるようにした小物商品収納箱も知られている（実用新案登録第３０４３７２９号公報参照）。
【０００４】
さらに上部を切除して商品を展示する包装用展示兼用箱において、前壁の下縁から低壁および後壁の内面にそれぞれ重なる底重板および吊上板を順次連設し、後壁の切断縁に差込片を、吊上板に差込穴をそれぞれ設け、吊上板を引き上げて差込穴に差込片を差し込むことにより底重板を後ろ上りに傾斜させるようにしたものも知られている（特開２００２−９６８２１号公報参照）。
【先行技術文献】
【特許文献】
【０００５】
【特許文献１】特開２００９−１２６５７８号公報
【特許文献２】実用新案登録第３０４３７２９号公報
【特許文献３】特開２００２−９６８２１号公報
【発明の概要】
【発明が解決しようとする課題】
【０００６】
しかしながら、上記した特許文献１に開示された内容の展示用包装箱は、カートンの片側側面より底蓋片・立上片・上面部・糊付片を順次連設してカートン内に矩形の筒状部を形成するために構造が複雑で加工に手間取ること、また該筒状部の一端に倒れ込み防止フラップを上方に向け折り曲げて起立させるだけであるために、ある程度質量の大きい商品にあっては十分に支えきれない難点がある。
【０００７】
また特許文献２に開示された小物商品収納箱にあっては、蓋体（３）の開閉角度如何により押上部材（６）と押上部（１４）による商品起立角度も変化し、また展示や使用時においては却って蓋体（３）の存在が邪魔になる難点がある。さらに特許文献３に開示された包装用展示兼用箱にあっては、引き上げられた吊上板の上方部差込穴内に差込片を差込んであるだけであるために、後ろ上りに傾斜させた底重板の耐負荷重量があまり大きくなく前記した特許文献１のもの同様にある程度質量の大きい商品にあっては十分に支えきれない難点がある。
【課題を解決するための手段】
【０００８】
本発明は上記した従来技術における課題を解決し、特に低コストで簡易な構造であるにもかかわらず耐負荷重性に優れ、しかも底面がオートボトム構造でカートンブランクからの組立てが簡単な展示機能つきカートンを開発したものであって、具体的には連設される正面・左右の側面・背面の各板、および該各板のいずれかの下端より延出されて組成される底面部と、各板のいずれか上端より延出される蓋体とからなるカートンにおいて、カートン内には正面板下端より延設されたスペーサ板を介して傾斜板を有し、しかも該傾斜板の開放端部には下方に折り曲げが可能な一定の長さを有する支え板を備えていることを特徴とした展示機能つきカートンに関する。
【０００９】
また本発明は上記のカートンにおいて、正面板下端より延設された底面部組成板（スペーサ板）から傾斜板の下方部にかけて、その折線部を頂点とする略Ｖ字状の切り込みを入れるとともに、側面板下端より延設された底部組成板の前記スペーサ板寄りの端部に、各底面部組成板を直角内方に折り曲げてカートン底面を形成する際に、上記スペーサ板の略Ｖ字状に形成された切込みに沿って摺動しつつ重合片がスペーサ板の上面に重合可能な弧状の切り込みが施されていることを特徴とした展示機能つきカートンに関する。さらに本発明は、上記した背面板の上端部を上方に突出させ、その少なくとも一部の正面側に商品広告を施すための看板部を形成した展示機能つきカートンに関する。
【発明の効果】
【００１０】
本発明は、上記したようにカートン内に正面板下端より延設されたスペーサ板を介して傾斜板を有ししかも該傾斜板の開放端部には、下方に折り曲げが可能な一定の長さを有する支え板を備えているために、とくに質量のある板状の商品を多数収納して傾斜状態に展示もしくは使用する際に簡易構造でありながら傾斜板が十分な商品保持力を有し、カートンの型崩れがなく、しかもカートンブランクからの組立てが容易で低コストを実現することができる。
【００１１】
また本発明は、上記したカートンにおいて、正面板下端より延設された底面部組成板（スペーサ板）から傾斜板の下方部にかけて、その折線部を頂点とする略Ｖ字状の切り込みを入れるとともに、側面板下端より延設された底部組成板の前記スペーサ板寄りの端部に、各底面部組成板を直角内方に折り曲げてカートン底面を形成する際に、上記スペーサ板の略Ｖ字状に形成された切込みに沿って摺動しつつ重合片がスペーサ板の上面に重合可能な弧状の切り込みが施されているために、カートンの組立てに際して底面部の組成がオートボトムにて簡単に組み付けすることができるばかりでなく、底面部の組成がより一層強固に組み付けることができる。
【００１２】
さらに背面板の上端部を上方に延出させて上方に突出させ、その少なくとも一部の正面側に商品広告を施すための看板部を形成したために、カートン内に収容展示されている商品に関する情報や広告を体裁よく表示することができる。
【図面の簡単な説明】
【００１３】
【図１】本発明の第１実施例である展示機能つきカートンの、片側側面を開いて内部をあらわした状態の斜面図。
【図２】図１のカートンの底部組みつけ状態をあらわした底面図。
【図３】図１の第１実施例に係るカートンの上部を切除して展示・使用状態をあらわした斜視図。
【図４】本発明における第１実施例のカートンブランクの展開図。
【図５】本発明の第２実施例である展示機能つきカートンの、片側側面を開いて内部をあらわした状態の斜面図。
【図６】図５の第２実施例に係るカートンの上部を切除して展示・使用状態をあらわした斜視図。
【図７】本発明における第２実施例のカートンブランクの展開図。
【発明を実施するための形態】
【００１４】
以下において本発明の具体的な内容を実施例をもとに説明する。図１〜４は本発明の第１をあらわしており、１は正面板であって、その片側には折線ａ・ｂを介して左側面板２および背面板３が順次連設されている。また正面板１の反対側には折線ｃ・ｄを介して右側面板４および接着片５が順次連設されており、各折線ａ・ｂおよびｃ・ｄによりそれぞれ直角内方に折り曲げて方形に構成することができる。
【００１５】
また左側面板２と右側面板４、および背面板３と正面板１のそれぞれの下端部には折線ｅ・ｆ・ｇ・ｊを介して底面部組成板６・７および８・９（スペーサ板）が連設されており、さらにこれらの各底面部組成板６・７および８・９（スペーサ板）をそれぞれの折線ｅ・ｆ・ｇ・ｊにより直角内方に折り曲げることによりカートンの底面部を組成する。
【００１６】
また正面板１の下端より延設された底面部組成板（スペーサ板）９には、これを介して傾斜板１０が延設して設けられており、傾斜板１０はカートン内に位置し、折線ｋを境に背面板３方向に向けて次第に高さを増すように傾斜しており、さらにその先端部には一定長さ（傾斜板１０の必要傾斜角度を保持するために必要な長さ）を有する支え板１１を折線ｉにより下方に向けて山折りすることにより支え板１１の先端を背面板３の内面に沿って底面部組成板８上に強固に保持させることができる。
【００１７】
また正面板１の下端より延設された底面部組成板（スペーサ板）９から傾斜板１０の下方部にかけて、その折線部ｋを頂点とする略Ｖ字状の切り込み部１８が入れてある。なお図において１０ａおよび１１ａは傾斜板１０および支え板１１に施された補強エンボスをあらわしている。
【００１８】
一方左側面板２の下端部に折線ｅを介して延設されている底面部組成板６には中央部寄りに台形凹部６ａと、これに隣接する突起部６ｂが設けられ、さらに該突起部６ｂの反対側、すなわち底面部組成板６の、前記した底面部組成板（スペーサ板）９寄りの端部に、各底面部組成板６・７・８・９をそれぞれ直角内方に折り曲げてカートン底面を形成する際に、上記底面部組成板（スペーサ板）９の略Ｖ字状に形成された切込み部１８に沿って摺動しつつ重合片６ｆが次第に底面部組成板（スペーサ板）９の上面に重合することが可能な弧状の切り込み６ｅが施されており、これによりカートンの組立てに際して底面部の組成がオートボトム構造となって簡単に組み付けすることができる。
【００１９】
一方左右の側面板２・４のそれぞれの上端部には折線ｍ・ｎを介してカートン内方に向けて直角に折り曲げが可能なフラップ１２・１３が設けられ、さらに背面板３の上端部にはミシン線ｏを介して上蓋板１５およびその先端に折線ｑを介して形成された折込フラップ１６が連設されている。なおｐは上蓋板１５を内側に山折して看板部１４を用いるための折線をあらわしている。
【００２０】
上記の構成により、折線ｅ・ｆ・ｇ・ｊにより各底面部組成板６・７および８・９（スペーサ板）を直角内方に折り曲げ、さらに折線ａ・ｂ・ｃ・ｄによりそれぞれ直角方向に折り曲げながらカートン底面を形成する際に、底面部組成板６の重合片６ｆが上記スペーサ板９の略Ｖ字状に形成された切込み部１８に沿って摺動しつつスペーサ板９の上面に次第に重合するとともにスペーサ板９に連設された傾斜板１０が上部開口方向に位置し、さらに底面部組成板７の台形凹部７ａに底面部組成板６の突起部６ｂを差込んで相互の突起６ｄと７ｃとを係合させた状態で、背面板３の片側端部内側に右側面板４の接着片５を接着剤を介して重ね合わせ、さらに底面部組成板７の接着板７ｂを正面板１下端より延出させた底面部組成板（スペーサ板）９に、また底面部組成板６の接着板６ｃを背面板３の下端より延出させた底面部組成板８に、それぞれ接着剤を介して重合接着することにより有底のカートンを構成することができる。
【００２１】
さらに上記した傾斜板１０の自由端方向に連設されている支え板１１を折線ｌにより下方（カートン内底部方向）に向けて山折し、その先端を底面部組成板８上に位置させることにより本願発明の展示機能付きカートンの組立てを完成する。また前記したフラップ１２・１３をカートン内側に向けて直角内方に折り曲げるとともに、上蓋板１５をミシン線ｏにより直角に折り曲げて先端の折込フラップ１６を正面板１の内面に沿わせてカートン内に差し込むことにより商品を収納した状態でその全体を包装することができる。
【００２２】
なお上記上蓋板１５にはその中央部よりミシン線ｏ側寄りに折線ｐを介して上方を折り返し、カートン内に差し込んだ状態で、背面板３の上方に突出起立させることができる看板部１４を有しており、該看板部１４の正面板１側にはカートン内に収容展示されている商品Ｍに関する情報や広告を体裁よく表示することができる。
【００２３】
また正面板１から左右の側面板２・４にかけてミシン目１７が施されており、カートン内部の商品を販売・展示する際、あるいは商品使用に際して該ミシン目１７に沿ってカートンの上部１ａ・２ａ・４ａを切除することにより図３にあらわしたような商品展示状態とすることができる。
【００２４】
さらに図５〜７には本発明の第２実施例があらわされている。第２実施例の発明に係るカートンについても、その各部の構成については既述した第１実施例のものと共通であるため、その詳細な説明については省略し、第１実施例との相違点のみについて以下に説明をする。
【００２５】
すなわち、正面板１から左右の側面板２・４、および背面板３と右側面板４の接着片５にかけてミシン目１７ａが施されており、カートン内部の商品を販売・展示する際、あるいは商品使用に際して該ミシン目１７ａに沿ってカートンの上部１ａ・２ａ・４ａ・３ａ・５ａを切除することにより図６にあらわしたような商品展示状態とすることができる。
【符号の説明】
【００２６】
１      正面板
１ａ    カートンの上部
２      左側面板
２ａ    カートンの上部
３      背面板
３ａ    カートンの上部
４      右側面板
４ａ    カートンの上部
５      接着片
５ａ    カートンの上部
６      底面部組成板
６ａ    台形凹部
６ｂ    突起部
６ｃ    接着板
６ｄ    突起
６ｅ    弧状の切り込み
６ｆ    重合片
７      底面部組成板
７ａ    台形凹部
７ｂ    接着板
７ｃ    突起
８      底面部組成板
９      底面部組成板（底面板）
１０    傾斜板
１１    支え板
１２    フラップ
１３    フラップ
１４    看板部
１５    上蓋板
１６    折込フラップ
１７    ミシン目
１７ａ  ミシン目
１８    略Ｖ字状の切り込み部
ａ〜ｎ  折線
ｏ      ミシン線
ｐ・ｑ  折線
【図１】
2011116387.tif 000003
【図２】
2011116387.tif 000004
【図３】
2011116387.tif 000005
【図４】
2011116387.tif 000006
【図５】
2011116387.tif 000007
【図６】
2011116387.tif 000008
【図７】
2011116387.tif 000009